(57)【要約】      （修正有）【課題】大きな汚物に対しても洗浄液を供給したまま、かつ汚れが吸引ヘッドに乗り上げることなく吸い取るようにした吸引ヘッドを提供する。【解決手段】吸引ヘッド３は、内部領域を分割する境界壁３１を隔てて被浄化面に対して吸引作用を行う吸引開口Ｐと洗浄液が導かれる流出開口Ｑが先端に開口を有している。吸引ヘッド３は、大気に開放されたダクト開口３２と、ダクト開口から取り入れた空気を流出開口Ｑに到る空間へ出口開口３７から吹き出す送風管３３と、送風管の途中に開口するノズル３４と、ノズルに洗浄液を供給する導入管１５と、先端の前側であって、吸引開口Ｐと流出開口Ｑのうち、吸引開口の側が、前側に向けて被浄化面から上昇するように連続的に湾曲して立ち上がった底面４３を有するノーズ部４２とを有している。【選択図】図１
0003210757.tif 000002
【実用新案登録請求の範囲】
【請求項１】
内部領域を分割する境界壁を隔てて被浄化面に対して吸引作用を行う吸引開口と洗浄液が導かれる流出開口が先端に開口した吸引ヘッドにおいて、
大気に開放されたダクト開口から取り入れた空気を前記流出開口に到る空間へ出口開口から吹き出す送風管と、
前記送風管の途中に開口するノズルと、
前記ノズルに洗浄液を供給する導入管と、
前記先端の前側であって、吸引開口と流出開口のうち、吸引開口の側が、前側に向けて被浄化面から上昇するように連続的に湾曲して立ち上がった底面を有するノーズ部とを有し、
前記境界壁の縁は前記先端から後退していることを特徴とする吸引ヘッド。
【請求項２】
請求項１の吸引ヘッドにおいて、前記ダクト開口から取り入れる空気の量を調整する調整弁を有することを特徴とする吸引ヘッド。
【請求項３】
請求項１の吸引ヘッドにおいて、前記ノーズ部には、前記底面の湾曲した立ち上がりに沿って多数の溝が設けられていることを特徴とする吸引ヘッド。
【請求項４】
請求項１の吸引ヘッドにおいて、前記ノーズ部の底面は、前記境界壁の先端がから後退した高さよりも高い位置にまで連続していることを特徴とする吸引ヘッド。
【請求項５】
請求項１、請求項２、請求項３若しくは請求項４のいずれかの吸引ヘッドが取り付けられ、前記吸引ヘッドに洗浄液を被浄化面に供給する洗浄液タンクと、前記吸引ヘッドに吸い取られた被浄化面の洗浄液及び汚れを導入する汚液タンクと、汚液タンク内に設けられた気液分離を行う分離処理部とを有する湿式クリーナー。
【考案の詳細な説明】
【技術分野】
【０００１】
本考案は、被浄化面に洗浄液を供給して吸引し除去する湿式クリーナーの吸引ヘッドに関する。
【背景技術】
【０００２】
湿式クリーナーは、被浄化面に洗浄液（水、洗剤等）を供給し床面を洗浄しながら、被浄化面上の洗浄液及びこれに溶解／分散された汚れを吸引する。このような、湿式クリーナーとして例えば、特許文献１に示されるものが知られている。この湿式クリーナーは、乾式の掃除機の吸引ホースの先に取り付けられ、乾式掃除機のモータの動力を利用して床面に洗浄液を供給して床面を洗浄しながら、床面上の洗浄液及びこれに溶解／分散された汚れを吸引し除去するものである。
【先行技術文献】
【特許文献】
【０００３】
【特許文献１】特開２０１４−９４０２６号公報
【考案の概要】
【考案が解決しようとする課題】
【０００４】
上述した特許文献１の湿式クリーナーでは、平面状の被浄化面に吸引ヘッドを押しつけたときに、ほぼ全範囲が被浄化面に接触するが、吸引ヘッド先端の前側縁は、被浄化面から離れるように若干後退している。これは、固形物を吸引開口Ｄ内に取り込みやすくするためである。固形物の大きさが前側縁の後退量よりも大きい場合に吸引ヘッドを被浄化面から浮かすと、洗浄液の供給が止まる。洗浄液を吸引ヘッドに供給するためには、被浄化面に吸引ヘッドを押しつけて吸引ヘッド内を負圧状態に保つ必要があるからである。
一方、被浄化面に吸引ヘッドを押しつけたまま吸引ヘッドを大きな汚物に向けて動かすと、汚れが吸引ヘッドに乗り上げることが生じる。
【０００５】
そこで本考案は、大きな汚物に対しても洗浄液を供給したまま、かつ汚れが吸引ヘッドに乗り上げることなく吸い取るようにした吸引ヘッドを提供することを目的とする。
【課題を解決するための手段】
【０００６】
本考案の湿式クリーナーの吸引ヘッドは、内部領域を分割する境界壁を隔てて被浄化面に対して吸引作用を行う吸引開口と洗浄液が導かれる流出開口が先端に開口した吸引ヘッドにおいて、
大気に開放されたダクト開口から取り入れた空気を前記流出開口に到る空間へ出口開口から吹き出す送風管と、
前記送風管の途中に開口するノズルと、
前記ノズルに洗浄液を供給する導入管と、
前記先端の前側であって、吸引開口と流出開口のうち、吸引開口の側が、前側に向けて被浄化面から上昇するように連続的に湾曲して立ち上がった底面を有するノーズ部とを有し、
前記境界壁の縁は前記先端から後退していることを特徴とする。
【考案の効果】
【０００７】
本考案によれば、吸引ヘッドの吸引開口と流出開口を被浄化面に接触させたままで、被浄化面に盛り上がった汚物を吸い取り、被浄化面の浄化を継続することができるという効果がある。
【図面の簡単な説明】
【０００８】
【図１】湿式クリーナーを示した図であり、図１Ａは全体図、図１Ｂは吸引ヘッドの断面図、図１Ｃは吸引ヘッドを下から見た図である。
【図２】吸引ヘッドの作用を示した図である。
【図３】他の実施例を示す図である。
【考案を実施するための形態】
【０００９】
図１において、湿式クリーナー１００は、本体容器１と、本体容器１の分離処理部２と、本体容器１へ汚液を取り込む吸引ヘッド３とを有している。本実施例では、吸引ヘッド３は、保護カバー２９に覆われており、本体容器１に固定的に連結されている。分離処理部２は、蓋体５と操作者に把持されるハンドル７とを有している。分離処理部２は、気体と液体の分離処理（気液分離処理）を行い、本体容器１内に洗浄液、汚れ及びゴミ等を残して気体を選別し出口管８に向け流出させる。出口管８には、乾式掃除機の吸引ホースが接続される。分離処理部２については、特許文献１に詳しいが、簡単に説明すると、出口管８を介して乾式掃除機が吸引を行うと、分離処理部２内のファン１４が回転する。ファン１４の回転により皿体９を回転させる。皿体９は、周面に多数の傾斜状のスリット９ａが多数形成されている。皿体９が回転することにより液体の皿体９内への進入を止め、スリット９ａを通して皿体９の内側へ気体を流れ込ませる気液分離を行う。内側へ流れ込んだ気体は、ファンを介して出口管８へと到る。皿体９が回転することにより、皿体９を通り抜けようとする液体、固形物は皿体９の遠心力によりはじき飛ばされ、皿体９の内側に入ることができない。尚、６は、分離処理部２を本体容器１に着脱自在に接合するクリップである。
本体容器１には、汚液タンク１０と洗浄液タンク１１が同心状に形成されている。本体容器１の下側には、円形状の首部１２が設けられており、ネジ１２ａが外周に設けられている。ネジ１２ａにキャップ１３が螺合することにより、洗浄液タンク１１は閉塞される。
【００１０】
首部１２に設けられた孔１２ｃには、大気導入通路１６の一方の端部１６ａにおいて大気に対して開放しており、大気導入通路１６の他方の端部１６ｂは、首部１２の孔１２ｃを経由して洗浄液タンク１１内側の空間に開放されている。洗浄液通路１５は、首部１２に設けられた孔１２ｄを貫通し洗浄液タンク１１内側の空間に連通している。洗浄液タンク１１の洗浄液は洗浄液通路１５を介してヘッド部４に供給される。
【００１１】
洗浄液は、本体容器１から洗浄液通路１５を経て、吸引ヘッド３の先端に導かれる。被浄化面に供給された洗浄液は被浄化面の汚れを溶解若しくは洗浄液中に分散させる。洗浄液及び汚れは汚液として吸引ヘッド３にて空気と共に吸引される。吸引された汚液は、本体容器１へ到る。吸引ヘッド３から導入される汚液等はノズル２０により、本体容器１の汚液タンク１０側面に沿って導入されるように付勢される。洗浄液タンク１１は汚液タンク１０の内側で同心であるため、洗浄液タンク１１内で、洗浄液タンク１１壁面によって周回する渦が効果的に発生する。渦が膜となってノズル２０を遮ることにより、液体や固体が渦により補足される洗浄効果が向上する。
【００１２】
図１Ｂにおいて、吸引ヘッド３の断面が示されている。吸引ヘッド３は、外筒３０の内部領域を２つの通路に分割する境界壁３１を有しており、一方が被浄化面に対して吸引作用を行う吸引開口Ｐであり、洗浄液が導かれる流出開口Ｑとなっている。吸引ヘッド３の一部として吸引ヘッド３の先端にスライダ４０が設けられており、被浄化面に対してスライダ４０のスライド面４１を押し当てて摺動する。境界壁３１の縁は、スライダ４０が被浄化面Ｒに当接した際に、被浄化面Ｒから後退している。スライダ４０には、吸引開口Ｐと流出開口Ｑとの両方の開口を連結するように大きな開口が設けられている。
【００１３】
吸引ヘッド３は、大気に開放されたダクト開口３２を有している。ダクト開口３２から取り入れた空気ｗ１は、これに続く送風管３３に導かれて出口開口３３ａから吹き出して途中の空間を経由して流出開口Ｑに到る。送風管３３の途中にはノズル３４が開口しており、洗浄液通路１５から洗浄液がノズル３４に供給される。ダクト開口３２から送風管３３に続く通路の途中で、取り入れた空気の一部ｗ２は枝管３５に分岐して、これを経由して流出開口Ｑに到る。枝管３５はノズル３４下流に位置する送風管３３よりも空気が流れる断面積が小さく、流出開口Ｑから吸引開口Ｐに向けて横方向の空気の流れを作るように作用する。
ノズル３４から漏れ出した洗浄液は、ノズル３４から流出開口Ｑに到る送風管３３下流の通路で加速し、かつノズル３４から漏れ出した洗浄液は、送風管３３の出口開口３７を経由した後に、境界壁３１により分割された外筒３０の内部領域のうち流出開口Ｑに到る通路に到り、被浄化面Ｒに衝突する。
【００１４】
送風管３３の出口開口４０は流出開口Ｑに到る空間に空気を吹き出しており、ノズル３４から漏れ出した洗浄液は、しばらく送風管３３を流れ、送風管３３の出口開口３７と流出開口Ｑとの二段の開口を経て被浄化面Ｒに到達する。送風管３３の途中にノズル３４が開口していることで、しばらくの間、送風管３３の中で空気流とともに流れてから、送風管３３の出口開口３７に到ることになる。このため、送風管３３の空気流により、強い加速を受けることになり、被浄化面Ｒへの浸透がより強くなる。
【００１５】
スライダ４０の前側（吸引開口Ｐと流出開口Ｑのうち、吸引開口Ｐの側）のスライド面４１が、前側に向けて被浄化面Ｒから上昇するように連続的に湾曲して立ち上がった底面４３を有するノーズ部４２が設けられている。ノーズ部４２の側面視外観は、「アヒル口」の形状に似ている。ノーズ部４２の底面４３は、境界壁３１が（被浄化面Ｒと接触する）スライド面４１から後退した高さよりも高い位置にまで連続している。ノーズ部４２の底面４３には、底面４３の湾曲した立ち上がりに沿って多数の溝４４が設けられており、溝４４の底が前側に向いているようになっている。
【００１６】
図２は、吸引ヘッド３の動作原理を示している。図２Ａ〜図２Ｃにおいて、ノーズ部４２を有しない吸引ヘッドＳを左側に、本実施例によるノーズ部４２を有する吸引ヘッド３を右側に示して作用を比較している。
【００１７】
図２Ａは、被浄化面Ｒに染みこんだ汚れＤを示している。吸引ヘッドＳおよび吸引ヘッド３ともに、吸引開口Ｐと流出開口Ｑを被浄化面Ｒに密接させると、流出開口Ｑ下に位置する被浄化面Ｒに対して洗浄液が進入し、被浄化面Ｒの内側の汚れＤを溶かして、吸引開口Ｐから吸い込まれる。
【００１８】
図２Ｂは、被浄化面Ｒに汚れＤ以外に大きく盛り上がった固形の汚物Ｅがある場合を示している。このような複合の汚れとして、例えば、嘔吐物がある。固形の汚物Ｅを吸い込むために、吸引ヘッドＳの場合には先端を持ち上げると、流出開口Ｑは大気圧状態になり、洗浄液を噴射する能力が一気に失われる。これは、本実施例による吸引ヘッド３の場合も同様であるが、固形の汚物Ｅがノーズ部４２により押しつぶすことが可能なものであれば、ノーズ部４２は被浄化面Ｒに対して接触したままで、浄化を継続することができる。
【００１９】
図２Ｃは、被浄化面Ｒに汚れＤ以外に大きく盛り上がった粘性のある汚物Ｆがある場合を示している。このような複合の汚れとして、例えば、動物の糞尿がある。吸引ヘッドＳの場合は、吸引開口Ｐと流出開口Ｑを被浄化面Ｒに密接させたままスライドすると、汚物Ｆが吸引ヘッドＳに乗り上げる。一方、吸引ヘッド３の場合は、ノーズ部４２に設けられた溝４４により汚物Ｆが吸引開口Ｐに導かれ、盛り上がりの高さを減少させることができる。小さくなった汚物Ｆの上に、そのまま吸引開口Ｐと流出開口Ｑを位置させれば、浄化することができる。
【００２０】
図３は、他の実施例による吸引ヘッド５０を示す断面図である。吸引ヘッド３との相違は、大気から空気を取り入れるダクト開口３２に、調整弁５１が設けられている点であり、他の構成は同じである。調整弁５１には、ダクト開口３２の開口に対向する開口５１ａが設けられており、調整弁５１を手動によりスライドさせることで、ダクト開口３２の開口量を調整する。
【００２１】
湿式クリーナー１００は、出口管８に乾式掃除機の吸引ホースが接続され、出口管８を介して乾式掃除機が吸引を行う（図１参照）。従って、湿式クリーナー１００のユーザにおいて、当該ユーザが所有する様々な吸引仕事率の乾式掃除機が接続されることになる。
このように、使用する掃除機の吸引力によって洗浄効果に変化があるため、吸引力の強い掃除機では調整弁５１を多く開きダクト開口３２から取り込まれる空気の量を多くし、吸引力の弱い掃除機では調整弁５１を少なく開きダクト開口３２から取り込まれる空気の量を少なくし掃除機による吸引ヘッド５０内の負圧調整をすることで洗浄水の吐出量と吸引圧力の調整し、各種掃除機の性能の適正化をする。
【００２２】
また、吸い込み仕事率の高いものほど、吸引ヘッド５０を被浄化面Ｒに密着して洗浄するとき、乾式掃除機のモータの真空度が上がる。乾式掃除機にモータ保護のためにパワーダウン装置が設けられていると、真空度が上がることによりパワーダウン装置が機能する。この場合には、乾式掃除機はもはや扱い込まなくなり連統使用が出来なくなってしまう。再度電源を入れ直すとすぐに仕事は出来るが手間であり、このスライド弁をつけることで、性能の違った掃除機も最適な吸い込み率を保ち適正な水噴射にもなる。
【００２３】
前記各実施例において、送風管３３の途中に空気の流速をさらに早めて、ノズル３４から吐出した洗浄液を加速するために、送風管３３の断面積を若干縮小するようにしても良い。
【符号の説明】
【００２４】
１  本体容器
２  分離処理部
３  吸引ヘッド
４  ヘッド部
５  蓋体
６  クリップ
７  ハンドル
８  出口管
９  皿体
１０  汚液タンク
１１  洗浄液タンク
１２  首部
１３  キャップ
１４  ファン
１５  洗浄液通路
１６、１７  大気導入通路
２９  保護カバー
３０  外筒
３１  境界壁
３２  ダクト開口
３３  送風管
３４  ノズル
３５  枝管
４０  スライダ
４１  スライド面
４２  ノーズ部
４３  底面
４４  溝
１００  湿式クリーナー
【図１】
0003210757.tif 000003
【図２】
0003210757.tif 000004
【図３】
0003210757.tif 000005